【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
レンダリングされたウェブ・ページ上に提示されたコンテンツのジェスチャー・ベースの操作を行うために計算デバイスにおいて少なくとも部分的に実行される方法であって、
レンダリングされたウェブ・ページ上にウェブ・ページ行動拡張（ＷＰＢＥ）制御エレメントを提示するステップと、
ジェスチャーによって前記ＷＰＢＥ制御エレメントのアクティブ化を検出したことに応答して、
前記レンダリングされたウェブ・ページとの対話処理を可能にするために１つ以上のアクションを提示するステップであって、前記１つ以上のアクションが、前記レンダリングされたウェブ・ページを提示するウェブ・アプリケーションの能力と、前記レンダリングされたウェブ・ページをレンダリングするブラウザー・アプリケーションの能力と、前記レンダリングされたウェブ・ページに関連したユーザーの好みと、前記レンダリングされたウェブ・ページに関連した使用履歴と、のうちの１つ以上に基づいて決定される、ステップ、
前記提示されたコンテンツを管理するのに適したアプリケーションをアクティブ化するステップ、
前記レンダリングされたウェブ・ページ上に提示された前記コンテンツを操作するのに適した１つ以上のアプリケーションを表示するウェブ・ページ行動制御（ＷＰＢＣ）メニューを提示するステップ、
前記ＷＰＢＣメニューからのアプリケーションの選択を検出するステップ、
前記提示されたコンテンツを管理するために前記選択されたアプリケーションをアクティブ化するステップ、
前記提示されたコンテンツの選択された部分を変換して、前記選択されたアプリケーションの機能により前記レンダリングされたウェブ・ページ上で直接、前記提示されたコンテンツの前記選択された部分の変更を可能にするステップであって、前記提示されたコンテンツが、前記レンダリングされたウェブ・ページ上において直接、前記提示されたコンテンツのカスタム化、分析、編集、選択、移動、ズーミング、フィルタリング、ソート、融合、および定式化の内１つ以上によって操作される、ステップ、
を実行するステップと、
前記レンダリングされたウェブ・ページ上で直接、ジェスチャーによる操作を可能にするために、前記適したアプリケーションおよび前記選択されたアプリケーションの内１つに関連する別のユーザー・インターフェースにおいて前記提示されたコンテンツを表示するステップと、
を含む、方法。
【請求項２】
請求項１記載の方法において、前記提示されたコンテンツが、テキスト・データー、スプレッドシート・データー、グラフィカル・データー、およびビデオ・データーを含む１組から少なくとも１つを含む、方法。
【請求項３】
請求項２記載の方法であって、更に、
前記レンダリングされたウェブ・ページ上において提示された前記コンテンツの一部の選択を検出するステップと、
前記提示されたコンテンツの一部の選択に応答して、前記ウェブ・ページ行動制御（ＷＰＢＣ）メニューを自動的に提示するステップであって、前記ＷＰＢＣメニューが、前記提示されたコンテンツの前記選択された一部を管理するために利用可能なアプリケーションを表示する、ステップと、
を含む、方法。
【請求項４】
請求項１記載の方法であって、更に、
前記選択されたアプリケーションに関連する前記別のユーザー・インターフェースにおける前記提示されたコンテンツの表示に応答して、前記別のユーザー・インターフェース上におけるジェスチャー入力によって前記提示されたコンテンツの操作を可能にするステップと、
前記操作の完了に応答して、変更を前記提示されたコンテンツに保存するステップと、
前記レンダリングされたウェブ・ページ上において前記変更されたコンテンツを表示するステップと、
を含む、方法。
【請求項５】
クライアント・アプリケーションによってレンダリングされたウェブ・ページ上に提示されたコンテンツのジェスチャー・ベースの操作を行うためのサーバーであって、
メモリーと、
前記メモリーに結合され、ウェブ・アプリケーションを実行するプロセッサーであって、前記メモリー内に格納された命令と共に、前記クライアント・アプリケーションによってレンダリングされるウェブ・ページ行動拡張（ＷＰＢＥ）制御エレメントをウェブ・ページに供給する、プロセッサーと、
を含み、前記ウェブ・アプリケーションが、
前記ウェブ・ページに関連するユーザー・インターフェースとジェスチャー入力によってユーザーが対話処理することを可能にし、
前記ＷＰＢＥ制御エレメントのアクティブ化および前記提示されたコンテンツの一部の選択の内１つを検出したときに、前記提示されたコンテンツを操作するための１つ以上のアプリケーションを表示するウェブ・ページ行動制御（ＷＰＢＣ）メニューを提示し、
前記ウェブ・ページとの対話処理を可能にするために１つ以上のアクションを提示し、前記１つ以上のアクションが、前記ウェブ・アプリケーションの能力と、前記クライアント・アプリケーションの能力と、前記ウェブ・ページに関連したユーザーの好みと、前記ウェブ・ページに関連した使用履歴と、のうちの１つ以上に基づいて決定され、
ジェスチャー入力による前記ＷＰＢＣメニューからのアプリケーションの選択を検出し、
前記提示されたコンテンツを管理するために選択された前記アプリケーションをアクティブ化し、
前記提示されたコンテンツの選択された部分を変換して、前記選択されたアプリケーションの機能により前記ウェブ・ページ上で直接、前記提示されたコンテンツの前記選択された部分の変更を可能にし、前記提示されたコンテンツが、前記ウェブ・ページ上において直接、前記提示されたコンテンツのカスタム化、分析、編集、選択、移動、ズーミング、フィルタリング、ソート、融合、および定式化の内１つ以上によって操作され、
操作を可能にするために、前記選択されたアプリケーションに関連する別のユーザー・インターフェースにおいて、前記提示されたコンテンツを表示する、
ように構成される、サーバー。
【請求項６】
請求項５記載のサーバーにおいて、前記ＷＰＢＥ制御エレメントが、前記ウェブ・ページ全体、および前記ウェブ・ページ上に表示された前記提示コンテンツの１つ以上の部分の内１つに関連する、サーバー。
【請求項７】
請求項５記載のサーバーにおいて、前記ＷＰＢＣメニューは更に、前記ウェブ・ページに関連した予め定めた一意のジェスチャーの検出に応答して表示される、サーバー。
【請求項８】
請求項７記載のサーバーにおいて、前記ウェブ・アプリケーションが、更に、
前記ウェブ・ページ上に提示された公開コンテンツ、利用可能であるが前記ウェブ・ページ上で提示されない暗示コンテンツ、ならびに前記ＷＰＢＣメニューによって供給されるワード・プロセッシング・アプリケーション、スプレッドシート・アプリケーション、描画アプリケーション、プレゼンテーション・アプリケーション、コンテンツ集計アプリケーション、およびブラウジング・アプリケーションの内１つ以上によって、前記ウェブ・ページに関連するデーター・ストアからの関連コンテンツを含む１組からの少なくとも１つの操作を可能にするように構成される、サーバー。
【請求項９】
請求項５記載のサーバーにおいて、前記ウェブ・アプリケーションが、更に、
前記提示されたコンテンツの２つ以上の部分の選択を同時に可能にし、
前記提示されたコンテンツの前記２つ以上の部分の選択を検出したときに、前記提示されたコンテンツの前記選択部分を管理するための１つ以上のアプリケーションを表示する前記ＷＰＢＣメニューを自動的に提示し、
前記ＷＰＢＣメニューからのアプリケーションの選択を検出し、
前記提示されたコンテンツの前記２つ以上の選択部分を操作するために、前記選択されたアプリケーションをアクティブ化する、
ように構成される、サーバー。
【請求項１０】
レンダリングされたウェブ・ページ上に提示されたスプレッドシート・コンテンツの操作のジェスチャー・ベースの操作を行うための命令が格納されたコンピューター読み取り可能記憶媒体であって、前記命令が、
埋め込まれたウェブ・ページ行動拡張（ＷＰＢＥ）制御エレメントのアクティブ化、前記レンダリングされたウェブ・ページ上に表示された提示スプレッドシート・コンテンツの一部の選択、およびジェスチャー入力によって前記レンダリングされたウェブ・ページと関連付けられた一意のジェスチャーの内１つを検出したときに、前記レンダリングされたウェブ・ページ上に表示された前記提示スプレッドシート・コンテンツを管理するための１つ以上のアプリケーションを表示するウェブ・ページ行動制御（ＷＰＢＣ）メニューを自動的に提示し、
前記レンダリングされたウェブ・ページとの対話処理を可能にするために１つ以上のアクションを提示し、前記１つ以上のアクションが、前記レンダリングされたウェブ・ページを提示するウェブ・アプリケーションの能力と、前記レンダリングされたウェブ・ページをレンダリングするブラウザー・アプリケーションの能力と、前記レンダリングされたウェブ・ページに関連したユーザーの好みと、前記レンダリングされたウェブ・ページに関連した使用履歴と、のうちの１つ以上に基づいて決定され、
前記ＷＰＢＣメニューからのアプリケーションの選択を検出し、
前記レンダリングされたウェブ・ページおよび前記ＷＰＢＣメニューから選択された前記アプリケーションの別のユーザー・インターフェースの内１つにおけるジェスチャー入力による、前記提示スプレッドシート・コンテンツの操作を可能にし、
前記提示スプレッドシート・コンテンツの選択された部分を変換して、前記選択されたアプリケーションの機能により前記レンダリングされたウェブ・ページ上で直接、前記提示スプレッドシート・コンテンツの前記選択された部分の変更を可能にし、前記提示スプレッドシート・コンテンツが、前記レンダリングされたウェブ・ページ上において直接、前記提示スプレッドシート・コンテンツのカスタム化、分析、編集、選択、移動、ズーミング、フィルタリング、ソート、融合、および定式化の内１つ以上によって操作される、
ことを含む、コンピューター読み取り可能記憶媒体。